【手続補正書】
【提出日】平成17年2月4日(2005.2.4)
【手続補正１】
【補正対象書類名】明細書
【補正対象項目名】特許請求の範囲
【補正方法】変更
【補正の内容】
【特許請求の範囲】
【請求項１】
発光素子と、
前記発光素子の第１の電極と第２の電極の間に流れる電流を測定する手段と、
ビデオ信号を用いて、前記発光素子の第１の電極と第２の電極の間に流れる電流の基準となる電流値を算出する手段と、
前記測定により得られる電流値が、前記基準となる電流値に近づくように、前記発光素子が有する第１の電極と第２の電極の間の電圧を補正する手段とを有することを特徴とする発光装置。
【請求項２】
発光素子と、
前記発光素子の第１の電極と第２の電極の間に流れる電流を測定する手段と、
ビデオ信号を用いて、前記発光素子の第１の電極と第２の電極の間に流れる電流の、基準となる値を算出する手段と、
前記測定した電流値と、前記基準となる電流値の偏差を算出する手段と、
前記偏差から、前記発光素子が有する第１の電極と第２の電極の間に流れる電流が前記基準となる電流値に近づくような、前記発光素子が有する第１の電極と第２の電極の間の電圧値を算出する手段と、
前記発光素子が有する第１の電極と第２の電極の間の電圧を、前記算出された電圧値に近づくように補正する手段とを有することを特徴とする発光装置。
【請求項３】
発光素子と、
前記発光素子の第１の電極と第２の電極の間に流れる電流を測定する手段と、
ビデオ信号を用いて、前記発光素子の第１の電極と第２の電極の間に流れる電流の、基準となる値を算出する手段と、
前記測定により得られる電流値が、前記基準となる電流値に近づくように、前記発光素子が有する第１の電極と第２の電極の間の電圧を補正する手段とを有し、
前記測定により得られる電流値と前記基準となる電流値の偏差が一定の幅で変化するごとに、前記測定により得られる電流値が一定の幅で変化することを特徴とする発光装置。
【請求項４】
発光素子と、
前記発光素子の第１の電極と第２の電極の間に流れる電流を測定する手段と、
ビデオ信号を用いて、前記発光素子の第１の電極と第２の電極の間に流れる電流の、基準となる値を算出する手段と、
前記測定した電流値と、前記基準となる電流値の偏差を算出する手段と、
前記偏差から、前記発光素子が有する第１の電極と第２の電極の間に流れる電流が前記基準となる電流値に近づくような、前記発光素子が有する第１の電極と第２の電極の間の電圧値を算出する手段と、
前記発光素子が有する第１の電極と第２の電極の間の電圧を、前記算出された電圧値に近づくように補正する手段とを有し、
前記偏差が一定の幅で変化するごとに、前記算出された電圧値が一定の大きさで変化することを特徴とする発光装置。
【請求項５】
画素部、補正回路、可変電源及び電流計を有し、
前記画素部に発光素子を有する画素が複数設けられており、
前記電流計によって、全ての前記発光素子の第１の電極と第２の電極の間に流れる電流の合計が測定され、
前記補正回路は、
デジタルビデオ信号を用いて、発光する前記発光素子の数を算出し、前記発光する発光素子の数と、前記測定した合計の電流値から、前記発光する各発光素子の電流の測定値を算出する手段と、
前記発光する各発光素子の電流の測定値が、前記発光する各発光素子の第１の電極と第２の電極の間に流れる基準となる電流値に近づくように、全ての前記発光素子が有する第１の電極と第２の電極の間の電圧を前記可変電源によって補正する手段とを有することを特徴とする発光装置。
【請求項６】
画素部、補正回路、可変電源及び電流計を有し、
前記画素部に発光素子を有する画素が複数設けられており、
前記電流計によって、全ての前記発光素子の第１の電極と第２の電極の間に流れる電流の合計が測定され、
前記補正回路は、
デジタルビデオ信号を用いて、発光する前記発光素子の数を算出し、前記発光する発光素子の数と、前記測定した合計の電流値から、前記発光する各発光素子の電流の測定値を算出する手段と、
前記発光する各発光素子の電流の測定値と、前記発光する各発光素子の、第１の電極と第２の電極の間に流れる基準となる電流値の偏差を算出する手段と、
前記偏差から、前記発光する各発光素子の第１の電極と第２の電極の間に流れる電流が、前記基準となる電流値に近づくような、全ての前記発光素子が有する第１の電極と第２の電極の間の電圧値を算出する手段と、
全ての前記発光素子が有する第１の電極と第２の電極の間の電圧を、前記算出された電圧値に近づくように前記可変電源によって補正する手段とを有することを特徴とする発光装置。
【請求項７】
画素部、補正回路、可変電源及び電流計を有し、
前記画素部に発光素子を有する画素が複数設けられており、
前記電流計によって、全ての前記発光素子の第１の電極と第２の電極の間に流れる電流の合計が測定され、
前記補正回路は、
デジタルビデオ信号を用いて、発光する前記発光素子の数を算出し、前記発光する発光素子の数と、前記測定した合計の電流値から、前記発光する各発光素子の電流の測定値を算出する手段と、
前記発光する各発光素子の電流の測定値が、前記発光する各発光素子の第１の電極と第２の電極の間に流れる基準となる電流値に近づくように、全ての前記発光素子が有する第１の電極と第２の電極の間の電圧を前記可変電源によって補正する手段とを有し、
前記発光する各発光素子の電流の測定値と前記基準となるの電流値の偏差が一定の幅で変化するごとに、前記発光する各発光素子の電流の測定値が一定の幅で変化することを特徴とする発光装置。
【請求項８】
画素部、補正回路、可変電源及び電流計を有し、
前記画素部に発光素子を有する画素が複数設けられており、
前記電流計によって、全ての前記発光素子の第１の電極と第２の電極の間に流れる電流の合計が測定され、
前記補正回路は、
デジタルビデオ信号を用いて、発光する前記発光素子の数を算出し、前記発光する発光素子の数と、前記測定した合計の電流値から、前記発光する各発光素子の電流の測定値を算出する手段と、
前記発光する各発光素子の電流の測定値と、前記発光する各発光素子の、第１の電極と第２の電極の間に流れる基準となる電流値の偏差を算出する手段と、
前記偏差から、前記発光する各発光素子の第１の電極と第２の電極の間に流れる電流が、前記基準となる電流値に近づくような、全ての前記発光素子が有する第１の電極と第２の電極の間の電圧値を算出する手段と、
全ての前記発光素子が有する第１の電極と第２の電極の間の電圧を、前記算出された電圧値に近づくように前記可変電源によって補正する手段とを有し、
前記偏差が一定の幅で変化するごとに、前記算出された電圧値が一定の大きさで変化することを特徴とする発光装置。
【請求項９】
請求項５乃至請求項８のいずれか１項において、前記可変電源、前記電流計及び前記補正回路が、前記発光素子の対応する色ごとに設けられていることを特徴とする発光装置。
【請求項１０】
請求項５乃至請求項９のいずれか１項において、前記発光素子が形成されている第１の基板上に、前記補正回路または電流計が形成されている第２の基板が取り付けられていることを特徴とする発光装置。
【請求項１１】
請求項５乃至請求項９のいずれか１項において、前記発光素子が形成されている第１の基板上に、前記補正回路または電流計が形成されている第２の基板がＣＯＧ法により取り付けられていることを特徴とする発光装置。
【請求項１２】
請求項５乃至請求項９のいずれか１項において、前記発光素子が形成されている第１の基板上に、前記補正回路または電流計が形成されている第２の基板がワイヤボンディング法により取り付けられていることを特徴とする発光装置。
【請求項１３】
請求項１乃至請求項１２のいずれか１項において、前記発光装置を用いることを特徴とする電子機器。